(57)【要約】【課題】  使用する通信キャリアを簡単な操作にて選択可能とする。【解決手段】  本発明によれば、それぞれ通信キャリアに係る識別情報を記憶した複数の記憶媒体から、前記識別情報を読み出す読み出し手段と、前記読み出し手段により読み出された識別情報に基づいて通信キャリアを決定し、前記決定した通信キャリアを使用して通信を行う通信手段と、通信相手の宛先を特定するための特定情報と前記通信相手の通信キャリアに係るキャリア情報とを対応付けて登録したアドレス帳情報を生成する生成手段と、前記アドレス帳情報に登録された特定情報とキャリア情報とに基づいて前記通信相手に対する通信を行うよう前記通信手段を制御する制御手段とを備える。【選択図】  図１２
2009010466.tif 000002
【特許請求の範囲】
【請求項１】
それぞれ通信キャリアに係る識別情報を記憶した複数の記憶媒体から、前記識別情報を読み出す読み出し手段と、
前記読み出し手段により読み出された識別情報に基づいて通信キャリアを決定し、前記決定した通信キャリアを使用して通信を行う通信手段と、
通信相手の宛先を特定するための特定情報と前記通信相手の通信キャリアに係るキャリア情報とを対応付けて登録したアドレス帳情報を生成する生成手段と、
前記アドレス帳情報に登録された特定情報とキャリア情報とに基づいて前記通信相手に対する通信を行うよう前記通信手段を制御する制御手段とを備える通信端末。
【請求項２】
前記アドレス帳情報に登録された複数の通信相手の中から任意に通信相手を選択する選択手段を備え、
前記制御手段は、前記アドレス帳情報に登録されたキャリア情報のうち前記選択手段により選択された通信相手のキャリア情報に従って使用する通信キャリアを設定し、前記設定した通信キャリアを使用して前記選択された通信相手に対する通信を行うよう前記通信手段を制御することを特徴とする請求項１記載の通信端末。
【請求項３】
前記制御手段は、前記選択された通信相手のキャリア情報が前記アドレス帳情報に登録されていない場合には、前記識別情報に従って決定した通信キャリアのうちの何れかの通信キャリアを使用して前記通信相手に対する通信を行うよう前記通信手段を制御することを特徴とする請求項２記載の通信端末。
【請求項４】
前記識別情報に従って決定した通信キャリアのうちの何れかをデフォルトキャリアとして任意に設定する手段を備え、
前記制御手段は、前記選択された通信相手のキャリア情報が前記アドレス帳情報に登録されていない場合には、前記デフォルトキャリアを使用して前記通信相手に対する通信を行うよう前記通信手段を制御することを特徴とする請求項３記載の通信端末。
【請求項５】
通信相手の宛先を入力する手段を備え、
前記制御手段は、前記アドレス帳情報に登録されたキャリア情報のうち前記入力された宛先に対応する通信相手のキャリア情報に従って使用する通信キャリアを設定し、前記設定した通信キャリアを使用して前記宛先に対応する通信相手に対する通信を行うよう前記通信手段を制御することを特徴とする請求項１記載の通信端末。
【請求項６】
前記制御手段は、前記入力された宛先に対応する通信相手のキャリア情報が前記アドレス帳情報に登録されていない場合には、前記識別情報に従って決定した通信キャリアのうちの何れかの通信キャリアを使用して前記通信相手に対する通信を行うよう前記通信手段を制御することを特徴とする請求項５記載の通信端末。
【請求項７】
前記通信手段が使用可能な通信キャリアのうちの何れかをデフォルトキャリアとして任意に設定する手段を備え、
前記制御手段は、前記入力された宛先に対応する通信相手のキャリア情報が前記アドレス帳情報に登録されていない場合には、前記デフォルトキャリアを使用して前記通信相手に対する通信を行うよう前記通信手段を制御することを特徴とする請求項６記載の通信端末。
【請求項８】
前記制御手段は、前記設定した通信相手の通信キャリアを前記通信手段が使用できない場合には、前記通信手段が使用可能な通信キャリアのうちの何れかの通信キャリアを使用して前記通信相手に対する通信を行うよう前記通信手段を制御することを特徴とする請求項２または５記載の通信端末。
【請求項９】
前記識別情報に従って決定した通信キャリアのうちの何れかをデフォルトキャリアとして任意に設定する手段を備え、
前記制御手段は、前記設定した通信相手の通信キャリアを前記通信手段が使用できない場合には、前記デフォルトキャリアを使用して前記通信相手に対する通信を行うよう前記通信手段を制御することを特徴とする請求項８記載の通信端末。
【請求項１０】
前記生成手段は、前記通信相手が使用可能な複数の通信キャリアを示すキャリア情報を前記アドレス帳情報に登録可能であることを特徴とする請求項１記載の通信端末。
【請求項１１】
前記アドレス帳情報に登録された複数の通信相手の中から任意に通信相手を選択する選択手段を備え、
前記制御手段は、前記選択手段により選択された通信相手のキャリア情報により示された複数の通信キャリアのうちの何れかの通信キャリアを使用する通信キャリアとして設定し、前記設定した通信キャリアを使用して前記選択された通信相手に対する通信を行うよう前記通信手段を制御することを特徴とする請求項１０記載の通信端末。
【請求項１２】
前記キャリア情報により示される複数の通信キャリアのうちの何れかをデフォルトキャリアとして任意に設定する手段を備え、
前記制御手段は、前記デフォルトキャリアを前記使用する通信キャリアとして設定することを特徴とする請求項１１記載の通信端末。
【請求項１３】
前記通信手段による過去の通信相手と使用した通信キャリアとを示す履歴情報を生成する手段を備え、
前記制御手段は、前記履歴情報に基づいて前記選択された通信相手のキャリア情報により示された複数の通信キャリアの中から使用する通信キャリアを設定することを特徴とする請求項１１記載の通信端末。
【請求項１４】
前記制御手段は、前記履歴情報に基づき、前記選択された通信相手に対して過去に通信したときに使用した通信キャリアを検出し、前記検出した通信キャリアを前記使用する通信キャリアとして設定することを特徴とする請求項１３記載の通信端末。
【請求項１５】
前記制御手段は、前記設定した通信相手の通信キャリアを前記通信手段が使用できない場合には、前記識別情報に従って決定した通信キャリアのうちの何れかの通信キャリアを使用して前記通信相手に対する通信を行うよう前記通信手段を制御することを特徴とする請求項１１から１４の何れかに記載の通信端末。
【請求項１６】
前記特定情報は、前記通信相手の電話番号、または、電子メールアドレスの情報を含むことを特徴とする請求項１から１５の何れかに記載の通信端末。
【発明の詳細な説明】
【技術分野】
【０００１】
本発明は通信端末に関し、特に、複数の通信キャリアを利用して通信を行う装置に関する。
【背景技術】
【０００２】
従来、携帯型の通信端末として、携帯電話機が知られている。
【０００３】
携帯電話機のうち、特に、ＩＭＴ−２０００の電話機においては、ＳＩＭ（Ｓｕｂｓｃｒｉｂｅｒ  Ｉｄｅｎｔｉｆｉｃａｔｉｏｎ  Ｍｏｄｕｌｅ）カードと呼ばれるＩＣカードを利用して通信を行う。
【０００４】
ＳＩＭカードには、回線契約ごとに電話（加入者）番号やキャリア（契約した会社及びその通信方式）などの加入者識別情報が格納されている。ユーザがキャリアと契約した際、ユーザにはＳＩＭカードが提供される。そして、このＳＩＭカードを電話機に装着し、識別情報をＳＩＭカードから読み出すことで発信及び着信の通話が可能となる。また、電話機に装着するＳＩＭカードを入れ替えることで、一つの契約回線を使って複数の電話機を使い分けることが可能となる。
【０００５】
また、ユーザが一人で複数の通信回線を契約した場合、契約毎の識別情報を記憶したＳＩＭカードが提供される。そのため、電話機に装着するＳＩＭカードを入れ替えることで、一台の電話機で複数の回線を使い分けることが可能となる。例えば、複数の回線を、ビジネス用の回線とプライベート用の回線とに分けて使用することができる。
【０００６】
また、二つのＳＩＭカードを装着可能な電話機も提案されている（例えば、特許文献１参照）。そのため、ユーザが異なる二つのキャリアと契約することにより提供された二つのＳＩＭカードを装着することで、１台の電話機にて、これら二つのキャリアを利用して通話を行うことができる。
【特許文献１】特開２００３−１８９３６１
【発明の開示】
【発明が解決しようとする課題】
【０００７】
電話機が一つの回線のみを利用する場合、契約している回線に応じた機能や操作画面のみを表示すればよい。
【０００８】
しかし、複数の回線を使用可能な電話機の場合には、通話の際、何れのキャリアを使用するのかをユーザが指定する必要がある。
【０００９】
そのため、通話の度にユーザが使用するキャリアを指定する必要があり、大変煩わしいという問題がある。
【００１０】
本発明は前述の如き問題を解決し、複数のキャリアを使用した場合でも、使用する通信キャリアを簡単な操作にて選択可能な装置を提供することを目的とする。
【課題を解決するための手段】
【００１１】
本発明によれば、それぞれ通信キャリアに係る識別情報を記憶した複数の記憶媒体から、前記識別情報を読み出す読み出し手段と、前記読み出し手段により読み出された識別情報に基づいて使用可能な通信キャリアを決定し、前記決定した通信キャリアを使用して通信を行う通信手段と、通信相手の宛先を特定するための特定情報と前記通信相手の通信キャリアに係るキャリア情報とを対応付けて登録したアドレス帳情報を生成する生成手段と、前記アドレス帳情報に登録された特定情報とキャリア情報とに基づいて前記通信相手に対する通信を行うよう前記通信手段を制御する制御手段とを備える。
【発明の効果】
【００１２】
複数の通信キャリアを使用した場合でも、使用するキャリアを容易に選択可能となる。
【発明を実施するための最良の形態】
【００１３】
（第１の実施形態）
以下、添付図面に従って本発明に係る実施形態を詳細に説明する。
【００１４】
図１は、本発明の実施形態としての携帯電話機の外観構成を示す図である。
【００１５】
図１の携帯電話機１００（以下電話機）は、複数の通信方式による通信が可能である。本実施形態では、Ｗ−ＣＤＭＡ方式とＣＤＭＡ２０００方式による通信が可能である。もちろん、これ以外の通信方式でもよく、また、三つ以上の通信方式による通話を可能とすることもできる。
【００１６】
また、電話機１００は、音声通信機能のほかに、テレビ電話通信などのマルチメディア機能、電子メール送受信機能、ＷＥＢ閲覧機能を持つ。更に、携帯電話機１００は、アドレス帳機能、電子手帳機能、ゲームなどのアプリケーションをダウンロードして使用する機能、ナビゲーション機能、音楽再生機能を有する。
【００１７】
電話機１００の筐体１ａ、１ｂ内にはアンテナ及び、着信時等に振動させるバイブレータが内蔵されているものとする。また、筐体１ａには、液晶表示部（ＬＣＤ）２が設けられている。表示部２の上部にはスピーカ１０が配置されている。
【００１８】
また、電話機１００には、ＳＩＭカードを装着するための二つのスロット３、４が備えられている。これらのＳＩＭスロット３、４に対し、異なるＳＩＭカード５、６を装着することが可能である。ＳＩＭカード５、６はそれぞれ、自由に取り外しすることが可能となっている。
【００１９】
また、通話の際に音声を入力するためのマイクロフォン９を筐体１ｂの最下部に配置し、通話機能に加え、各種の機能に関する操作入力のためのキー操作部８を筐体１ｂの下部に備えている。また、ＳＩＭスロット３、４の何れかに装着されたＳＩＭカードによる契約回線を有効にするための切り替えボタンとして用いる回線変更ボタン７を筐体１ｂの側面に配置している。
【００２０】
電話機１００は、筐体１ａと１ｂとを、矢印１１、或いは１２方向に回動させることができる。電話機１００を開いた状態で筐体１ａと１ｂとを矢印１１方向に回動させることで閉じることができる。また、電話機１００を閉じた状態では、表示部２が電話機の内側になる。また、電話機１００を閉じた状態で筐体１ａと１ｂとを矢印１２方向に回動させることで開くことができる。
【００２１】
ユーザは、電話機１００を開いた状態でキー操作部８を操作することにより、各種の機能を利用することができる。また、電話やメールの着信動作は、電話機１００を閉じた状態でも可能である。
【００２２】
図２は図１の電話機１００を左側面から示した図である。図２に示されるように、電話機１００は、メモリカード１４を装着するためのメモリカードスロット１３を備えている。メモリカード１４には、電話機１００にて利用する各種機能を実行するためのデータなどを記憶することができる。
【００２３】
図３は、図１の電話機１００の内部構成を示すブロック図である。なお、図３のブロック図は、主に通話機能、電子メールの送受信機能に必要なブロックのみを記載している。前述の様に、電話機１００は通話機能やメール送受信機能の他、各種の機能を持つが、これらの機能に関連したブロック、並びにその詳細な説明については、公知の構成を用いており、詳細な説明は省略する。
【００２４】
図３において、電話機１００の各種の動作はＣＰＵ１１４により制御される。ＣＰＵ１１４はＣＰＵバス１２１を介して各部を制御する。ＣＰＵバス１２１には、データやプログラムを格納するためのＲＡＭ１１５、ＲＯＭ１１６、電源が切れた場合にもデータを保持することが可能な不揮発性メモリであるＥＥＰＲＯＭ１１７が接続される。なお、ＥＥＰＲＯＭに代えて、書き替え可能なＮＡＮＤフラッシュメモリや、ＮＯＲフラッシュメモリを用いることも可能である。
【００２５】
ＣＰＵ１１４は、入出力制御部１１８を介してキー操作部８からキー入力を受付けたり、回線変更ボタン７からのキー入力を受付けたり、或いはキー操作部８のボタンを光らせる制御を行う。また、ＣＰＵ１１４は、表示制御部１１９を制御することにより、表示部２に対して様々な画像や情報を表示する。
【００２６】
また、ＣＰＵ１１４は、外部メモリＩ／Ｆ１２０を介して、ＳＩＭスロット（Ａ）３、ＳＩＭスロット（Ｂ）４に装着されたＳＩＭカードの情報を読み取る。更に、メモリカードスロット１３を介して装着されたメモリカードに対し、データの書き込み、読み出しを実行する。
【００２７】
図また、電話機１００は、Ｗ−ＣＤＭＡ方式（第１の通信方式）用の通信部１２２と、ＣＤＭＡ２０００方式（第２の通信方式）用の通信部１２３を備えている。そして、後述の様に、装着されたＳＩＭカード５または６から読み出した加入者情報に従い、通信部１２３を選択し、通信を行う。
【００２８】
まず、電話機１００における電話、及び電子メールの基本的な着信、送信処理について説明する。
【００２９】
ここでは、例として、第１の通信部１２２による着信時の処理について説明する。
【００３０】
不図示の基地局から伝送されてくる無線信号をアンテナ１０１により受信し、受信された信号がアンテナ共用機１０２を介して受信部１０３に入力される。受信部１０３は、高周波増幅器、周波数変換器及び復調器を備える。そして、受信部１０３は、受信した信号を低雑音増幅器で低雑音増幅した後、周波数シンセサイザ１０５より発生された受信局部発信信号と混合し、受信中間周波数信号または受信ベースバンド信号に周波数変換する。そして、周波数変換した信号を復調器で復調する。
【００３１】
復調された信号は、ベースバンド処理部１０６に送られ、音声信号と電子メールのデータに分離される。音声データは、コーデック１０７により、通信方式に従って復号され、スピーカ１０に出力される。
【００３２】
一方、電子メールのデータであればＲＡＭ１１５に送られ、保存される。ユーザが、キー操作部８を操作することにより、ＲＡＭ１１５に保存された電子メールデータを任意に読み出して表示部２に表示することができる。
【００３３】
この様に、音声電話を着信すると、スピーカ１０から相手の音声が出力される。
【００３４】
一方、通話中の音声を送信する場合、マイク９から出力されたユーザの音声信号はコーデック１０７により通信方式に応じて符号化される。符号化された音声データは、ベースバンド処理部１０６により必要な処理が施され、送信部１０４に出力される送信部１０４は、変調器、周波数変換機、送信電力増幅器を備える。そして、送信部１０４は、音声データを通信方式に従って変調した後、周波数シンセサイザ１０５から発生された送信局部発信信号と混合して無線周波数信号に周波数変換する。そして、変換した信号を増幅した後、アンテナ共用器１０２及びアンテナ１０１を介して、不図示の基地局に向けて送信される。
【００３５】
ユーザは、キー操作部８を操作することで、通話を終了することができる。
【００３６】
次に、発信時の処理を説明する。
【００３７】
ユーザは、キー操作部８を操作することにより、相手の電話番号を入力し、発信を指示する。ＣＰＵ１１４は、発信の指示があると、ベースバンド処理部１０６に対し、発信用のデータを送る。ベースバンド処理部１０６は、発信用のデータを送信部１０４に送り、前述のように変調、周波数変換、及び増幅処理を施し、アンテナ共用機１０２、アンテナ１０１により不図示の基地局に向けて送信する。
【００３８】
基地局が通信相手からの着信を確認し、無線信号を送ると、アンテナ１０１がこれを受信し、以下、前述の着信時と同様の処理を実行する。
【００３９】
また、電子メールを送信する場合、ユーザは、キー操作部８を用いて、メール作成を指示する。メール作成が指示されると、ＣＰＵ１１４は、表示制御部１１９を制御、メール作成用の画面を表示部２に表示する。ユーザはキー操作部８を用いて送信先アドレスや本文を入力し、送信を指示する。ＣＰＵ１１４は、メール送信が指示されると、ベースバンド処理部１０６に対し、アドレスの情報を送り、コーデック１０７に対して本文のデータを送る。コーデック１０７は本文のデータを符号化し、ベースバンド処理部１０６に送る。
【００４０】
ベースバンド処理部１０６は、アドレス、及び本文のデータを送信部１０４に送り、送信部１０４により変調等の処理を施して、アンテナ共用器１０２、アンテナ１０１を介して基地局に送信する。
【００４１】
本実施形態では、ＳＩＭスロット（Ａ）３、ＳＩＭスロット（Ｂ）４に装着されたＳＩＭカードから加入者識別情報を読み取り、この加入者情報に基づいて通信処理を行う。
【００４２】
ここで、ＳＩＭカードに記憶されている情報について説明する。
【００４３】
図５はＳＩＭカードに記憶された情報を示す図である。
【００４４】
各ＳＩＭカードには、ＩＣカードＩＤ１８０１、国際移動体端末番号１８０２、認証用キー値１８０６、ＰＩＮコード１８０７、電話帳情報１８１０、メールデータ１８１２、リザーブ１８１３が記憶される。
【００４５】
ＩＣカードＩＤ１８０２は、カードをユニークに識別するための情報である。国際移動体端末番号１８０２は、契約したキャリアによって提供される加入者を特定するための情報である。国際移動体端末番号１８０２は、移動体通信用国番号１８０３、移動体通信網識別番号１８０４及び移動体端末識別番号１８０５から構成されている。移動体通信用国番号１８０３により契約したキャリアの国が判別でき、移動体通信網識別番号１８０４により契約したキャリアを識別できる。移動体端末識別番号１８０５が電話番号として加入者に提供される。
【００４６】
認証用キー値１８０６は、キャリアの提供する電話網へアクセスするために電話機との認証を行うための情報である。ＰＩＮ（Ｐｅｒｓｏｎａｌ  Ｉｄｅｎｔｉｆｙ  Ｎｕｍｂｅｒ）コード１８０７は、第三者に無断使用されることを防ぐため、ＳＩＭカードが電話機に装着された際に利用者を特定するための認証コードである。ＰＩＮコードは二種類保存することができる。
【００４７】
電話帳１８１０には、ＰＩＮコード１８０９を入力することにより発信可能となる発信先固定電話帳１８１１が含まれる。
【００４８】
次に、電源投入時における、ＳＩＭカードの検出処理と、通信部１２２、１２３及び表示部２の制御について、図４のフローチャートを用いて説明する。
【００４９】
なお、本実施形態の電話機１００では、電源オンの間はＳＩＭスロットからＳＩＭカードを取り出すことができない。そのため、ユーザがＳＩＭカードを装着、排出する場合には、電話機１００の電源をオフする。
【００５０】
そして、この様に電源オフの間にＳＩＭカードの排出、装着が行われた後、キー操作部８を操作することにより電源がオンになると図４のフローチャートがスタートする。なお、図４の処理は、ＣＰＵ１１４が各部を制御することにより実行される。
【００５１】
まず、ＳＩＭスロット（Ａ）３にＳＩＭカードが装着されているか否かを判別する（Ｓ４０１）。ＳＩＭスロット３にカードが装着されていた場合、ＳＩＭスロット３を介して、ＳＩＭカードから図１８の如き加入者情報を読み出して、ＲＡＭ１１５に記憶する（Ｓ４０２）。
【００５２】
続いて、ＳＩＭスロット（Ｂ）４にＳＩＭカードが装着されているか否かを判別する（Ｓ４０３）。ＳＩＭスロット４にカードが装着されていた場合、ＳＩＭスロット４を介して、ＳＩＭカードから図１８の如き加入者情報を読み出して、ＲＡＭ１１５に記憶する（Ｓ４０４）。
【００５３】
次に、ＳＩＭスロット３のカードのＰＩＮコード認証用画面を生成し、表示部２に表示する（Ｓ４０５）。図１９は、ＰＩＮコードの入力画面を示す図である。
【００５４】
１９０１は表示部２の表示画面であり、入力を促すメッセージ１９０２を表示する。ユーザは、キー操作部８を用い、入力欄１９０３に対してＰＩＮコードを入力する。１９０４は決定用カーソルである。
【００５５】
ＰＩＮコード入力用画面を表示した後、ユーザによりＰＩＮコードが入力されると、入力されたコードがＳＩＭスロット３のカードから読み出したＰＩＮコードと一致するか否かを判別する（Ｓ４０６）。ＰＩＮコードが一致し、正しく認証されると、次に、ＳＩＭスロット４のカードのＰＩＮコード認証用画面を生成し、表示部２に表示する（Ｓ４０７）。
【００５６】
そして、前述の通り、ユーザによりＰＩＮコードが入力されると、入力されたコードがＳＩＭスロット４のカードから読み出したＰＩＮコードと一致するか否かを判別する（Ｓ４０８）。ＰＩＮコードが一致し、正しく認証されると、各スロットのカードから読み出した識別情報に基づいて、ＳＩＭスロット３のカードとＳＩＭスロット４のカードが別のキャリア（通信方式）に従うカードであるか否かを判別する（Ｓ４０９）。
【００５７】
二つのカードが別のキャリアに対応するカードであった場合、通信部１２２と１２３を共に動作させる（Ｓ４１０）。そして、各カードの識別情報に基づいて使用する通信回線を決定する。
【００５８】
また、Ｓ４０９において、ＳＩＭスロット３のカードとＳＩＭスロット４のカードが同じキャリアに対応するカードであった場合、各カードの識別情報に基づいて、通信部１２２、１２３のうち対応する方を動作させる（Ｓ４１１）。
【００５９】
また、Ｓ４０１で、ＳＩＭスロット３にＳＩＭカードが装着されていなかった場合、ＳＩＭスロット（Ｂ）４にＳＩＭカードが装着されているか否かを判別する（Ｓ４１２）。ＳＩＭスロット４にもカードが装着されていない場合、ＳＩＭカードが装着されていない旨の情報を表示部２に表示し、予め決められた処理に戻る（Ｓ４１７）。なお、本実施形態では、ＳＩＭカードが装着されていない場合には、通信部１２２、１２３を利用した機能を利用することができないが、他の機能を利用することができるものとする。
【００６０】
Ｓ４１２で、ＳＩＭスロット４にカードが装着されていた場合、ＳＩＭスロット４を介して、ＳＩＭカードから図１８の如き識別情報を読み出して、ＲＡＭ１１５に記憶する（Ｓ４１３）。次に、ＳＩＭスロット４のカードのＰＩＮコード認証用画面を生成し、表示部２に表示する（Ｓ４１４）。
【００６１】
そして、前述の通り、ユーザによりＰＩＮコードが入力されると、入力されたコードがＳＩＭスロット４のカードから読み出したＰＩＮコードと一致するか否かを判別する（Ｓ４１５）。ＰＩＮコードが一致し、正しく認証されると、通信部１２２、１２３のうち、認証済みカード（ここではＳＩＭスロット４のカード）に対応する通信部を動作させる（Ｓ４１６）。
【００６２】
また、Ｓ４０３で、ＳＩＭスロット４にＳＩＭカードが装着されていなかった場合、ＳＩＭスロット３に対してのみＳＩＭカードが装着されていることになる。そこで、ＳＩＭスロット３のカードのＰＩＮコード認証用画面を生成し、表示部２に表示する（Ｓ４１８）。ユーザによりＰＩＮコードが入力されると、入力されたコードがＳＩＭスロット３のカードから読み出したＰＩＮコードと一致するか否かを判別する（Ｓ４１９）。
【００６３】
ＰＩＮコードが一致し、正しく認証されると、Ｓ４１８に進み、認証済みのカード（ここではＳＩＭスロット３のカード）に対応する通信部を動作させる。
【００６４】
また、Ｓ４０６で、ＳＩＭスロット３のカードのＰＩＮコードが正しく認証されない場合、ＳＩＭスロット３のカードによる認証が失敗し、回線の利用ができない旨の警告メッセージを表示部２に表示する（Ｓ４２１）。
【００６５】
そして、ＳＩＭスロット４のカードのＰＩＮコード認証用画面を生成し、表示部２に表示する（Ｓ４２２）。
【００６６】
そして、前述の通り、ユーザによりＰＩＮコードが入力されると、入力されたコードがＳＩＭスロット４のカードから読み出したＰＩＮコードと一致するか否かを判別する（Ｓ４２３）。ＰＩＮコードが一致し、正しく認証されると、Ｓ４１８に進み、認証済みのカード（ここではＳＩＭスロット４のカード）に対応する通信部を動作させる。
【００６７】
また、Ｓ４２３でＰＩＮコードの認証が失敗すると、ＳＩＭスロット３、４の何れのカードもＰＩＮコードの認証が失敗したことになるので、その旨を示す警告メッセージを表示部２に表示する（Ｓ４２４）。
【００６８】
また、Ｓ４０８で、ＳＩＭスロット４のカードのＰＩＮコードが正しく認証されない場合、ＳＩＭスロット４のカードによる認証が失敗し、回線の利用ができない旨の警告メッセージを表示部２に表示する（Ｓ４２０）。
【００６９】
この場合、ＳＩＭスロット３のカードのＰＩＮコードのみが正しく認証されたことになり、Ｓ４１６に進んで、認証済みのカード（ここではＳＩＭスロット３のカード）に対応する通信部を動作させる。そして、表示制御部１１９により、認証済みカードに対応する回線の画面を生成し、表示部２に表示する。
【００７０】
また、Ｓ４１５、Ｓ４１９でＰＩＮコードが正しく認証されなかった場合、ＳＩＭスロット３、或いはＳＩＭスロット４の一方に装着されたＳＩＭカードの認証が失敗し、他方のＳＩＭスロットにはカードが装着されてないことになる。
【００７１】
そのため、Ｓ４２４に進み、ＳＩＭカードのＰＩＮコード認証が失敗し、認証がロックされた旨の警告情報を表示する。
【００７２】
この様に、電源投入時には、ＳＩＭスロット３、４に装着されたＳＩＭカードから読み出した識別情報に従い、使用する通信回路を決定している。
【００７３】
次に、本実施形態におけるアドレス帳を利用した通話処理について説明する。
【００７４】
まず、アドレス帳に対する電話番号及びキャリアの登録処理について説明する。図７はアドレス帳の登録処理を示すフローチャートである。図７の処理はＣＰＵ１１４の制御により実現される。
【００７５】
ユーザがキー操作部８を操作することにより、アドレス帳の登録処理を指示すると、フローがスタートする。
【００７６】
まず、表示部２に対し、図８に示した登録用の画面を表示する（Ｓ７０１）。図８において、８０１はアドレス帳の登録用画面である。ユーザは、キー操作部８を操作することにより、名前欄８０２、電話番号欄８０３、及びキャリア欄８０４に対し、それぞれ必要な情報を入力することができる。
【００７７】
アドレス帳の登録画面の表示後、ユーザによる入力を待ち、登録が指示されると（Ｓ７０３）、その時点で各欄に入力された情報を登録したアドレス帳情報を生成してＥＥＰＲＯＭ１１７に記憶する（Ｓ７０４）。そして、登録終了の指示があると、登録処理を終了する（Ｓ７０２）。
【００７８】
図９は、アドレス帳の登録処理によりＥＥＰＲＯＭ１１７に記憶されたアドレス帳情報９００を示す図である。
【００７９】
図９に示したように、アドレス帳情報９００は、名前９０１、電話番号９０２、キャリア９０５、付加情報９０６を含む。そして、通信相手の名前９０１と、電話番号９０２、通信キャリア情報９０５とが対応付けて登録される。なお、本実施形態では、一人のユーザに付き複数の電話番号を登録することができ、複数の番号を登録した場合には、更に、電話番号９０４、９０５が記憶される。図９では、ユーザ９０７、９０８の二人分の情報が記憶されている。
【００８０】
次に、デフォルトキャリアの設定処理を説明する。
【００８１】
本実施形態では、通信相手のキャリアが前述のアドレス帳情報に登録されていない場合に使用するキャリアをデフォルトキャリアとして設定することができる。図１０はデフォルトキャリアの設定処理を示すフローチャートである。
【００８２】
ユーザがキー操作部８を操作することにより、デフォルトキャリアの設定処理を指示すると、フローがスタートする。
【００８３】
まず、表示部２に対し、図１１に示したデフォルトキャリアの設定用画面を表示する（Ｓ１００１）。図１１において、１１０１はアドレス帳の登録用画面である。ユーザは、キー操作部８を操作することにより、キャリア入力欄１１０２にプルダウンメニューで表示されるキャリアの中からデフォルト設定したいキャリアを選択する。そして、カーソル１１０３を移動することにより登録を指示することができる。なお、このときプルダウンメニューで表示されるキャリアは、図４の処理にて動作設定された通信回路に対応するキャリアである。
【００８４】
デフォルトキャリアの設定用画面の表示後、ユーザによる入力を待ち、登録が指示されると（Ｓ１００３）、設定されたデフォルトキャリアの情報をＥＥＰＲＯＭ１１７に記憶する（Ｓ１００４）。そして、登録終了の指示があると、登録処理を終了する（Ｓ１００２）。
【００８５】
次に、アドレス帳を利用した発信処理について説明する。図１２はアドレス帳を用いた発信処理を示すフローチャートである。図１２の処理はＣＰＵ１１４の制御により実現される。
【００８６】
ユーザがキー操作部８を操作することにより、アドレス帳による発信処理を指示すると、フローがスタートする。
【００８７】
まず、ＥＥＰＲＯＭ１１７に記憶されているアドレス帳情報に基づいて、表示部２に対し、図１３に示したの通信相手の選択用画面を表示する（Ｓ１２０１）。図１３において、１３０１は通信相手の選択用画面である。画面１３０１には、アドレス帳情報に登録されている名前１３０２とカーソル１３０３が表示される。ユーザは、キー操作部８を操作することによりカーソル１３０３を移動することで、通信相手を選択し、決定する（Ｓ１２０２）。
【００８８】
通信相手が選択されると、選択された相手のキャリアがアドレス帳情報に登録されているか否かを判別する（Ｓ１２０３）。
【００８９】
例えば、図９において、ユーザ９０８のキャリアは登録されていない。この場合は、ＥＥＰＲＯＭ１１７に記憶されたデフォルトキャリアの情報に従い、ユーザに設定されたデフォルトキャリアを相手のキャリアに設定する（Ｓ１２０９）。
【００９０】
一方、図９において、ユーザ９０７についてはキャリアの情報が登録されている。そこで、アドレス帳情報に登録されたキャリアが、図４の処理により動作中の通信回路に対応するキャリアであるか否かを判別する（Ｓ１２０４）。動作中の通信回路に対応するキャリアで無い場合には、Ｓ１２０９に進み、デフォルトキャリアを相手のキャリアとして設定する。また、動作中の通信回路に対応するキャリアであった場合、アドレス帳情報に登録されたキャリアを相手のキャリアとして設定する（Ｓ１２０５）。
【００９１】
この様に相手のキャリアが設定されると、次に、表示部２に対し、図１４に示す発信確認画面１４０１を表示する。図１４において、１４０１は発信確認画面である。画面１４０１には、選択された相手の名前と設定されたキャリアの情報１４０２と、カーソル１４０３が表示される。ユーザは、キー操作部８を操作することによりカーソル１４０３を移動することで、発信するか否かを決定する（Ｓ１２０７）。
【００９２】
ユーザにより発信指示があると、設定されたキャリアの通信回路を用いて、アドレス帳情報に登録されたユーザの電話番号に対し前述の如く発信処理を実行し、通話を開始する（Ｓ１２０８）。
【００９３】
また、発信が指示されず、キャンセルの指示があると、発信せずに処理を終了する（Ｓ１２１０）。
【００９４】
次に、アドレス帳を利用するのではなく、ユーザがキー操作部８を操作して、相手の電話番号を直接入力して発信する場合の処理を説明する。図１５は電話番号入力による発信処理を示すフローチャートである。図１５の処理はＣＰＵ１１４の制御により実現される。
【００９５】
ユーザが表示部２を見ながらキー操作部８を操作することにより、発信相手の電話番号を入力することができる。ユーザにより相手の電話番号が入力されると（Ｓ１５０１）、ＥＥＰＲＯＭ１１７に記憶されたアドレス帳情報に基づいて、入力された番号がアドレス帳情報に登録されているか否かを判別する（Ｓ１５０２）。
【００９６】
入力された電話番号がアドレス帳情報に登録されていない場合、ＥＥＰＲＯＭ１１７に記憶されたデフォルトキャリアの情報に従い、ユーザに設定されたデフォルトキャリアを相手のキャリアに設定する（Ｓ１５０９）。
【００９７】
また、入力された番号がアドレス帳情報に登録されていた場合、更に、この電話番号に対応する通信相手のキャリアがアドレス帳情報に登録されているか否かを判別する（Ｓ１５０３）。キャリアが登録されていなかった場合、Ｓ１５０９に進み、デフォルトキャリアを相手のキャリアとして設定する。
【００９８】
また、入力された番号に対応する通信相手のキャリアがアドレス帳情報に登録されていた場合、登録されたキャリアが、図４の処理により動作中の通信回路に対応するキャリアであるか否かを判別する（Ｓ１５０４）。動作中の通信回路に対応するキャリアで無い場合には、Ｓ１２０９に進み、デフォルトキャリアを相手のキャリアとして設定する。また、動作中の通信回路に対応するキャリアであった場合、アドレス帳情報に登録されたキャリアを相手のキャリアとして設定する（Ｓ１５０５）。
【００９９】
以下の処理は、図１２のＳ１２０６〜Ｓ１２０８及び、Ｓ１２１０の処理と同様である。
【０１００】
この様に、本実施形態によれば、通信相手の名前や電話番号に加え、通信キャリアの情報をアドレス帳情報に登録している。そして、発信時には、アドレス帳情報に登録されたキャリアの情報に従って、使用するキャリアを選択している。
【０１０１】
そのため、ユーザは、発信処理の度に利用するキャリアを選択する必要が無く、複数のキャリアを利用して通信を行う場合にも、使用するキャリアを容易に選択することができる。
【０１０２】
なお、ユーザの契約内容によっては、同じキャリア同士であれば、通話料が無料になるなど、相手と違うキャリアを使う場合に比べ、有利な条件で通話できる場合がある。
【０１０３】
本実施形態によれば、アドレス帳情報に登録された通信相手のキャリアが自動的に選択されるので、ユーザは条件のよいキャリアを容易に選択することができる。
【０１０４】
なお、本実施形態においては、通話処理について説明したが、電子メールの送信処理についても同様に実現可能である。
【０１０５】
即ち、電話番号に加え、電子メールアドレスをアドレス帳情報に登録しておけば、電子メールの送信の際、相手のキャリアに応じたキャリアを自動的に選択して送信することができる。
【０１０６】
また、電子メールアドレス以外にも、通信相手の宛先を特定するための情報であればよい。宛先の特定情報とそのキャリアの情報とをアドレス帳情報に登録しておけば、本実施形態と同様に、相手先のキャリアに応じたキャリアを自動的に選択して通信することが可能となる。
【０１０７】
また、本実施形態においては、通信相手のキャリアがアドレス帳情報に登録されていない場合、ユーザにより登録されたデフォルトキャリアを用いて通話を行っていた。
【０１０８】
しかしながら、ユーザがデフォルトキャリアを登録せず、通話処理の時点で動作中の通信回路の中から、予め決められたキャリアに応じた通信回路を選択するようにしてもよい。
【０１０９】
（第２の実施形態）
次に、第２の実施形態を説明する。
【０１１０】
本実施形態においても、電話機１００の構成、並びに、基本的な通信処理は第１の実施形態と同様である。
【０１１１】
第１の実施形態では、通信相手のキャリアを一つだけアドレス帳情報に登録していた。しかしながら、本実施形態の電話機の様に、相手の電話機も複数のキャリアを使用可能であることが考えられる。
【０１１２】
そこで、本実施形態では、一人の通信相手に対し複数のキャリアを登録可能とした場合について説明する。
【０１１３】
本実施形態では、図７のアドレス帳の登録処理の際、Ｓ７０１において、表示部２に対して図１６の表示画面１６０１を表示する。図１６は、アドレス帳の登録様画面を示す図である。図１６において、アドレス帳の登録用画面１６０１には、名前欄１６０２、電話番号欄１６０３、キャリア欄１６０４に加え、電話番号とキャリアを選択するためのタブ１６０５を表示する。ユーザは、キー操作部８を操作することによりタブ１６０５を切り替えることができる。そして、一人の通信相手に対し、複数の電話番号とキャリアを登録することができる。また、デフォルトキャリアの入力欄１６０６も表示される。入力欄１６０６には、名前１６０２に登録された複数のキャリアがプルダウン表示される。ユーザは入力欄１６０６にプルダウン表示されたキャリアのうち、デフォルトキャリアとして設定するキャリアを選択する。
【０１１４】
図１７は、本実施形態におけるアドレス帳の登録処理によりＥＥＰＲＯＭ１１７に記憶されたアドレス帳情報９００を示す図である。
【０１１５】
図１７に示したように、アドレス帳情報９００は、図９と同様、名前９０１、電話番号９０２〜９０４、キャリア９０５、付加情報９０６を含む。本実施形態では、更に、二つめのキャリア９０９とデフォルトキャリア９１０の情報を含む。図１７では、ユーザ９０７、９０８、９１１の三人分の情報が記憶されている。
【０１１６】
そして、ユーザ９１１には、二つの電話番号と二つのキャリア、及び、デフォルトキャリアが登録されている。
【０１１７】
次に、アドレス帳を利用した発信処理について説明する。図１５はアドレス帳を用いた発信処理を示すフローチャートである。図１５の処理はＣＰＵ１１４の制御により実現される。
【０１１８】
ユーザがキー操作部８を操作することにより、アドレス帳による発信処理を指示すると、フローがスタートする。
【０１１９】
まず、ＥＥＰＲＯＭ１１７に記憶されているアドレス帳情報に基づいて、表示部２に対し、図１３に示した通信相手の選択用画面を表示する（Ｓ１８０１）。ユーザは選択用画面に表示された名前の中から通信相手を選択し、決定する（Ｓ１８０２）。
【０１２０】
通信相手が選択されると、選択された相手のキャリアがアドレス帳情報に登録されているか否かを判別する（Ｓ１８０３）。登録されていない場合は、ＥＥＰＲＯＭ１１７に記憶されたデフォルトキャリアの情報に従い、ユーザに設定されたデフォルトキャリアを相手のキャリアに設定する（Ｓ１８１２）。
【０１２１】
一方、選択された相手のキャリアが登録されている場合、更に、選択された相手に複数のキャリアが登録されているか否かを判別する（Ｓ１８０４）。登録されたキャリアが一つの場合、Ｓ１８０７に進む。
【０１２２】
また、複数のキャリアが登録されていた場合、選択された相手が通信履歴情報に含まれているか否かを判別する（Ｓ１８０５）。
【０１２３】
ここで、通信履歴について説明する。
【０１２４】
本実施形態では、電話機１００にて発信、及び受信した相手の番号や名前、及びキャリアの情報を、過去数十件程度ＥＥＰＲＯＭ１１７に保持している。通信履歴情報の様子を図１９に示す。図１９に示すように、通信履歴情報１９００は、通信相手の名前１９０１、電話番号１９０２、発信した日時１９０３及び、そのとき使用したキャリアの情報１９０４を含む。なお、名前１９０１は、電話番号１９０２がアドレス帳情報に登録されていた場合にのみ保持される。
【０１２５】
例えば、ユーザが通信相手として、相手１９０５を選択していた場合、この相手１９０５のキャリアの情報が通信履歴情報１９００に含まれている。
【０１２６】
そこで、この様に選択された相手が通信履歴情報に含まれていた場合には、通信履歴情報に含まれるキャリアを選択する（Ｓ１８０６）。なお、同じ通信相手に対し、複数の通信履歴が含まれていた場合、最も新しい通話の際に使用したキャリアを選択する。一方、選択された相手が通信履歴情報に含まれていない場合、アドレス帳情報に登録されたデフォルトキャリアを選択する（Ｓ１８１４）。
【０１２７】
次に、Ｓ１８０６またはＳ１８１４で選択されたキャリアが、図４の処理により動作中の通信回路に対応するキャリアであるか否かを判別する（Ｓ１８０７）。動作中の通信回路に対応するキャリアで無い場合には、Ｓ１８０９に進み、図１０の処理によりユーザが設定したデフォルトキャリアを相手のキャリアとして設定する。また、動作中の通信回路に対応するキャリアであった場合、選択されたキャリアを相手のキャリアとして設定する（Ｓ１８０８）。
【０１２８】
以下の処理は、図１２のＳ１２０６〜Ｓ１２０８及び、Ｓ１２１０の処理と同様である。
【０１２９】
この様に、本実施形態によれば、通信相手の複数の通信キャリアの情報をアドレス帳情報に登録している。そして、これら複数のキャリアのうち、デフォルト設定したキャリアの情報に従って、使用するキャリアを選択している。
【０１３０】
そのため、ユーザは、発信処理の度に利用するキャリアを選択する必要が無く、複数のキャリアを利用して通信を行う場合にも、使用するキャリアを容易に選択することができる。
【０１３１】
なお、第１の実施形態及び、第２の実施形態においては、アドレス帳情報をＥＥＰＲＯＭ１１７に記憶していたが、メモリカード１３に記憶することも可能である。
【０１３２】
また、前述の実施形態では、ＳＩＭカードを利用した携帯電話機について説明したが、ＳＩＭカードと同様の機能を持つ記憶媒体を利用して通信を行う通信端末に対しても、同様に本発明を適用可能である。
【図面の簡単な説明】
【０１３３】
【図１】本発明の実施形態における携帯電話機の外観図である。
【図２】本発明の実施形態における携帯電話機の外観図である。
【図３】本発明の実施形態における携帯電話機の構成を示す図である。
【図４】ＳＩＭカードによる通信キャリアの設定処理を示すフローチャートである。
【図５】ＳＩＭカードに記憶された情報を示す図である。
【図６】ＰＩＮコードの入力用画面を示す図である。
【図７】アドレス帳の登録処理を示すフローチャートである。
【図８】アドレス帳の登録用画面を示す図である。
【図９】アドレス帳情報を示す図である。
【図１０】デフォルトキャリアの設定処理を示すフローチャートである。
【図１１】デフォルトキャリアの設定用画面を示す図である。
【図１２】アドレス帳を利用した発信処理を示すフローチャートである。
【図１３】アドレス帳の表示画面を示す図である。
【図１４】発信確認画面を示す図である。
【図１５】電話番号入力による発信処理を示すフローチャートである。
【図１６】アドレス帳の登録用画面を示す図である。
【図１７】アドレス帳情報を示す図である。
【図１８】アドレス帳を利用した発信処理を示すフローチャートである。
【図１９】通信履歴情報を示す図である。
【図１】
2009010466.tif 000003
【図２】
2009010466.tif 000004
【図３】
2009010466.tif 000005
【図４】
2009010466.tif 000006
【図５】
2009010466.tif 000007
【図６】
2009010466.tif 000008
【図７】
2009010466.tif 000009
【図８】
2009010466.tif 000010
【図９】
2009010466.tif 000011
【図１０】
2009010466.tif 000012
【図１１】
2009010466.tif 000013
【図１２】
2009010466.tif 000014
【図１３】
2009010466.tif 000015
【図１４】
2009010466.tif 000016
【図１５】
2009010466.tif 000017
【図１６】
2009010466.tif 000018
【図１７】
2009010466.tif 000019
【図１８】
2009010466.tif 000020
【図１９】
2009010466.tif 000021